(57)【要約】【課題】電力を正確に測定し得る電力測定装置を提供する。【解決手段】電圧信号Ｓｖを出力する電圧検出部２と、電流信号Ｓｉを出力する電流検出部３と、電圧信号Ｓｖに基づく電圧波形データＤｖおよび電流信号Ｓｉに基づく電流波形データＤｉを用いて電力Ｐを算出する制御部４２とを備え、制御部４２は、選択操作に従い、電力Ｐの算出に先立って入力操作によって数値入力された入力値Ｖｉと入力値Ｖｉの入力時において電圧検出部２から出力された電圧信号Ｓｖに基づく電圧波形データＤｖによって特定される第１検出値Ｖｓａとを用いて電力Ｐを補正する第１補正処理、および電力Ｐの算出に用いる電圧波形データＤｖによって特定される第２検出値Ｖｓｂと入力値Ｖｉとを用いて電力Ｐを補正する第２補正処理のいずれか一方を電力Ｐの算出時に実行する。【選択図】図１
2008175532.tif 000002
【特許請求の範囲】
【請求項１】
絶縁体を介して電線を挟み込んだ状態で当該電線に印加されている電圧を検出して電圧検出信号を出力する電圧検出部と、前記電線を流れている電流を検出して電流検出信号を出力する電流検出部と、前記電圧検出信号に基づく電圧波形データおよび前記電流検出信号に基づく電流波形データを用いて前記電線を介して供給されている電力を算出する演算部とを備えた電力測定装置であって、
前記演算部は、選択操作に従い、前記電力の算出に先立って入力操作によって数値入力された前記電圧についての入力値と当該入力値の入力時において前記電圧検出部から出力された前記電圧検出信号に基づく前記電圧波形データよって特定される前記電圧についての第１の検出値とを用いて当該電力を補正する第１補正処理、および前記電力の算出に用いる前記電圧波形データによって特定される前記電圧についての第２の検出値と前記入力値とを用いて当該電力を補正する第２補正処理のいずれか一方を当該電力の算出時に実行する電力測定装置。
【請求項２】
絶縁体を介して電線を挟み込んだ状態で当該電線に印加されている電圧を検出して電圧検出信号を出力する電圧検出部と、前記電線を流れている電流を検出して電流検出信号を出力する電流検出部と、前記電圧検出信号に基づく電圧波形データおよび前記電流検出信号に基づく電流波形データを用いて前記電線を介して供給されている電力を算出する演算部とを備えた電力測定装置であって、
前記演算部は、選択操作に従い、前記電力の算出に先立って入力操作によって数値入力された前記電圧についての入力値と当該入力値の入力時において前記電圧検出部から出力された前記電圧検出信号に基づく前記電圧波形データよって特定される前記電圧についての第１の検出値とを用いて当該電力を補正する第１補正処理、および前記電力の算出に用いる前記電圧波形データによって特定される前記電圧についての第２の検出値と前記第１の検出値と前記入力値とを用いて当該電力を補正する第３補正処理のいずれか一方を当該電力の算出時に実行する電力測定装置。
【請求項３】
前記電流検出部は、前記電流を非接触で検出するクランプ型の電流センサを備えて構成されている請求項１または２記載の電力測定装置。
【発明の詳細な説明】
【技術分野】
【０００１】
本発明は、電線を介して供給されている電力を算出する電力測定装置に関するものである。
【背景技術】
【０００２】
この種の電力測定装置として、特開２０００−３３８１４７号公報において出願人が、開示した電力測定装置が知られている。この電力測定装置では、電線にクリップを接続して測定した電圧と、クランプセンサを用いて非接触で測定した電流とに基づいて電力が算出される。この場合、この種の電力測定装置では、電圧を測定するためのクリップを電線の非被覆部分に接続するため、接続時において電線の非被覆部分やクリップの金属部分に接触して感電するおそれがある。このため、出願人は、電線の非被覆部分にクリップを接続する方式に代えて、電線の被覆部分をクリップで挟み込んで電線との容量結合を介して電圧を間接的に検出する方式を採用した電力測定装置を既に開発している。
【特許文献１】特開２０００−３３８１４７号公報（第４頁、第１図）
【発明の開示】
【発明が解決しようとする課題】
【０００３】
ところが、容量結合を介して電圧を間接的に検出する方式を採用した上記の電力測定装置には、改善すべき以下の課題が存在する。すなわち、この種の電力測定装置では、電線に印加されている電圧の実際の電圧値と間接的に検出された電圧値との間に差異が生じるため、電力の測定に先立ち、実際の電圧値として数値入力した電圧値と、その際に検出された電圧値とに基づいて補正値を予め求め、算出した電力をその補正値で補正する処理が行われる。一方、電線とクリップとの間の静電容量は、電線をクリップで挟み込む際のクリップの位置ずれや電線の周囲の湿度の変動に応じて変化する。このため、この種の電力測定装置では、電線に印加されている電圧の実際の電圧値と検出された電圧値との間の差異が静電容量の変化に伴って変動することがあり、この際には、上記した補正値では電力を適正に補正することが困難となる。したがって、この種の電力測定装置では、電力の正確な測定が困難となるおそれがあり、この点の改善が求められている。
【０００４】
本発明は、かかる解決すべき課題に鑑みてなされたものであり、電力を正確に測定し得る電力測定装置を提供することを主目的とする。
【課題を解決するための手段】
【０００５】
上記目的を達成すべく請求項１記載の電力測定装置は、絶縁体を介して電線を挟み込んだ状態で当該電線に印加されている電圧を検出して電圧検出信号を出力する電圧検出部と、前記電線を流れている電流を検出して電流検出信号を出力する電流検出部と、前記電圧検出信号に基づく電圧波形データおよび前記電流検出信号に基づく電流波形データを用いて前記電線を介して供給されている電力を算出する演算部とを備えた電力測定装置であって、前記演算部は、選択操作に従い、前記電力の算出に先立って入力操作によって数値入力された前記電圧についての入力値と当該入力値の入力時において前記電圧検出部から出力された前記電圧検出信号に基づく前記電圧波形データよって特定される前記電圧についての第１の検出値とを用いて当該電力を補正する第１補正処理、および前記電力の算出に用いる前記電圧波形データによって特定される前記電圧についての第２の検出値と前記入力値とを用いて当該電力を補正する第２補正処理のいずれか一方を当該電力の算出時に実行する。この場合、演算部は、一例として、入力値を第１の検出値で除した除算値を、電圧波形データおよび電流波形データを用いて算出した電力に乗算する処理を本発明における第１補正処理として実行する。また、演算部は、一例として、入力値を第２の検出値で除した除算値を、電圧波形データおよび電流波形データを用いて算出した電力に乗算する処理を本発明における第２補正処理として実行する。
【０００６】
また、請求項２記載の電力測定装置は、絶縁体を介して電線を挟み込んだ状態で当該電線に印加されている電圧を検出して電圧検出信号を出力する電圧検出部と、前記電線を流れている電流を検出して電流検出信号を出力する電流検出部と、前記電圧検出信号に基づく電圧波形データおよび前記電流検出信号に基づく電流波形データを用いて前記電線を介して供給されている電力を算出する演算部とを備えた電力測定装置であって、前記演算部は、選択操作に従い、前記電力の算出に先立って入力操作によって数値入力された前記電圧についての入力値と当該入力値の入力時において前記電圧検出部から出力された前記電圧検出信号に基づく前記電圧波形データよって特定される前記電圧についての第１の検出値とを用いて当該電力を補正する第１補正処理、および前記電力の算出に用いる前記電圧波形データによって特定される前記電圧についての第２の検出値と前記第１の検出値と前記入力値とを用いて当該電力を補正する第３補正処理のいずれか一方を当該電力の算出時に実行する。この場合、演算部は、一例として、入力値を第１の検出値で除した除算値を、電圧波形データおよび電流波形データに基づいて算出した電力に乗算し、その乗算値に対して、第１の検出値を第２の検出値で除した除算値をさらに乗算する処理を第３補正処理として実行する。
【０００７】
また、請求項３記載の電力測定装置は、請求項１または２記載の電力測定装置において、前記電流検出部は、前記電流を非接触で検出するクランプ型の電流センサを備えて構成されている。
【発明の効果】
【０００８】
請求項１記載の電力測定装置によれば、演算部が、選択操作に従って第１補正処理および第２補正処理のいずれか一方を電力の算出時に実行することにより、測定環境に応じて２種類の補正処理から選択操作によって選択した補正処理で電力を補正させることができる。このため、例えば、電圧検出信号に基づく電圧波形データによって特定される検出値と電線に印加されている実際の電圧値との差異が変動しないとき（変動が僅かなとき）には、電力の算出に先立って入力操作によって数値入力した入力値とその入力時における第１の検出値とに基づいて電力を補正させることができる。また、電圧検出部の位置ずれや湿度の変動に起因して、検出値と電線に印加されている実際の電圧値との差異が大きく変動するときには、入力値と電力の算出時における第２の検出値とに基づいて電力を補正させることができる。したがって、この電力測定装置によれば、測定環境に拘わらず、電力を適正に補正することができる結果、電力を正確に測定することができる。
【０００９】
また、請求項２記載の電力測定装置によれば、演算部が、選択操作に従って第１補正処理および第３補正処理のいずれか一方を電力の算出時に実行することにより、測定環境に応じて２種類の補正処理から選択操作によって選択した補正処理で電力を補正させることができる。このため、例えば、電圧検出信号に基づく電圧波形データによって特定される検出値と電線に印加されている実際の電圧値との差異が変動しないとき（変動が僅かなとき）には、入力値と第１の検出値とに基づいて電力を補正させることができ、検出値と電線に印加されている実際の電圧値との差異が大きく変動するときには、入力値と第１の検出値と第２の検出値とに基づいて電力を補正させることができる。したがって、この電力測定装置によれば、測定環境に拘わらず、電力を適正に補正することができる結果、電力を正確に測定することができる。
【００１０】
また、請求項３記載の電力測定装置によれば、電流を非接触で検出するクランプ型の電流センサを備えて電流検出部を構成したことにより、電線の導線に端子を接続することなく電流を安全かつ容易に測定することができる。
【発明を実施するための最良の形態】
【００１１】
以下、本発明に係る電力測定装置の最良の形態について、添付図面を参照して説明する。
【００１２】
最初に、電力測定装置１の構成について、図面を参照して説明する。図１に示す電力測定装置１は、本発明に係る電力測定装置の一例であって、電圧検出部２、電流検出部３および本体部４を備えて、例えば同図に示す電線１００を介して供給される電力を測定可能に構成されている。この場合、電線１００は、被覆電線であって、導線１０１の周囲に絶縁体１０２が被覆されて構成されている。
【００１３】
電圧検出部２は、図１に示すように、電線１００を挟み込み可能なクリップ状に構成されて、挟み込んだ電線１００に印加されている電圧Ｖｔを検出可能に構成されている。具体的には、電圧検出部２は、図２に示すように、一対のクリップ片２１ａで構成された本体部２１、および一対の電圧センサ２２を備えて構成されている。クリップ片２１ａは、本発明における絶縁体に相当し、絶縁性（非導電性）を有する樹脂材料で形成されると共に、両者の中央部にピン２３が挿通されることにより、ピン２３を中心として回動可能に連結されている。また、両クリップ片２１ａは、両者の内部に配設されたばね２４によって各々の先端部（同図における左端部）が閉じる（当接する）向きに付勢されている。
【００１４】
電圧センサ２２は、クリップ片２１ａにおける先端部の内部に配設されている。また、電圧センサ２２は、一例として、絶縁シートを挟んで重ね合わせた２枚の金属箔を絶縁カバー（いずれも図示せず）で覆って構成されている。この場合、２枚の金属箔のうちの内側（検出対象体の挟み込み側）に位置する金属箔がセンサ電極として機能して、外側に位置する金属箔がシールド電極として機能する。
【００１５】
この電圧検出部２では、挟み込んだ状態の電線１００に交流の電圧Ｖｔが印加されているときに、電線１００の絶縁体１０２および本体部２１の先端部（絶縁体）を介して容量結合されている電圧センサ２２と電線１００の導線１０１との間に誘導電圧Ｖｇが生じて、この誘導電圧Ｖｇに基づく電圧信号Ｓｖ（本発明における電圧検出信号）が電圧センサ２２から出力される。つまり、電圧検出部２は、電線１００に印加されている電圧Ｖｔを検出して電圧信号Ｓｖを出力する。
【００１６】
電流検出部３は、先端が開閉自在なクランプ型の電流検出器であって、図１に示すように、電線１００の周囲を取り囲んだ状態において電線１００に流れている電流Ｉｔを非接触で検出可能に構成されている。具体的には、電流検出部３は、図３に示すように、一対のクランプ片３１ａで構成された本体部３１、および一対の電流センサ３２を備えて構成されている。各クランプ片３１ａは、非導電性を有する樹脂材料で形成されると共に、両者の中央部に図外のピンが挿通されることにより、ピンを中心として回動可能に連結されている。また、両クランプ片３１ａは、両者の内部に配設された図外のばねによって各々の先端部（同図における上端部）が閉じる（当接する）向きに付勢されている。
【００１７】
電流センサ３２は、図３に示すように、クランプ片３１ａの内部に形成された平面視略円弧状の収容部に配設されている。また、電流センサ３２は、一例として、磁性コア、磁性コアを被覆するボビン、およびボビンの周囲に巻回された巻線で構成されたコイル３２ａと、コイル３２ａのさらに外側に取り付けられた金属製のシールド板３２ｂとを備えて構成されている。
【００１８】
この電流検出部３では、周囲を取り囲んだ電線１００に電流Ｉｔが流れているときに、電線１００の周囲での磁気の発生に伴って電流センサ３２のコイル３２ａに誘導電流が流れ、この誘導電流に基づく電流信号Ｓｉ（本発明における電流検出信号）が電流センサ３２から出力される。つまり、電流検出部３は、電線１００に流れる電流Ｉｔを検出して電流信号Ｓｉを出力する。
【００１９】
本体部４は、図１に示すように、入力部４１、制御部４２、記憶部４３、操作部４４および表示部４５を備えて構成されている。入力部４１は、バッファ、レンジアンプおよびＡ／Ｄコンバータなどを備えて構成されて、電圧検出部２から出力された電圧信号Ｓｖをサンプリングしてデジタル信号に変換して、電圧信号Ｓｖの波形を示す電圧波形データＤｖを出力する。また、入力部４１は、電流検出部３から出力された電流信号Ｓｉをサンプリングしてデジタル信号に変換して、電流信号Ｓｉの波形を示す電流波形データＤｉを出力する。
【００２０】
制御部４２は、本発明における演算部に相当し、入力部４１から出力された電圧波形データＤｖに基づき、電線１００に印加されている電圧Ｖｔの実効値（以下、「検出値Ｖｓ」ともいう）を算出（特定）する。また、制御部４２は、操作部４４からの操作信号Ｓｏに従って図４に示す電力測定処理５０を実行することにより、入力部４１から出力された電圧波形データＤｖおよび電流波形データＤｉを用いて、電線１００を介して供給されている電力Ｐを算出する。この場合、制御部４２は、操作部４４のモード選択スイッチの操作（本発明における選択操作）に従い、第１モードおよび第２モードのいずれかのモードで電力Ｐを算出する。
【００２１】
ここで、制御部４２は、第１モードにおいて、後述する入力値Ｖｉと第１検出値Ｖｓａ（本発明における第１の検出値）とを用いて、算出した電力Ｐを補正する。この場合、入力値Ｖｉは、電力Ｐの算出に先立って操作部４４のキー操作（本発明における入力操作）によって数値入力される電圧Ｖｔの実効値（例えば、商用電源における２００Ｖ）であって、制御部４２によって記憶部４３に記憶される。また、第１検出値Ｖｓａは、入力値Ｖｉの入力時において電圧検出部２から出力された電圧信号Ｓｖに基づく電圧波形データＤｖに基づいて制御部４２が算出した検出値Ｖｓ（つまり、入力値Ｖｉの入力時における検出値Ｖｓ）であって、制御部４２によって記憶部４３に記憶される。なお、第１モードにおける補正が本発明における第１補正処理に相当する。
【００２２】
また、制御部４２は、第２モードにおいて、上記した入力値Ｖｉと後述する第２検出値Ｖｓｂ（本発明における第２の検出値）とを用いて、算出した電力Ｐを補正する。この場合、第２検出値Ｖｓｂは、電力Ｐの算出に用いる電圧波形データＤｖに基づいて制御部４２が算出した検出値Ｖｓ（つまり、電力Ｐの算出時における検出値Ｖｓ）であって、制御部４２によって記憶部４３に記憶される。なお、第２モードにおける補正が本発明における第２補正処理に相当する。
【００２３】
記憶部４３は、制御部４２の制御に従い、電圧波形データＤｖ、電流波形データＤｉ、入力値Ｖｉ、第１検出値Ｖｓａおよび第２検出値Ｖｓｂなどを記憶する。操作部４４は、電源スイッチ、モード選択スイッチ、測定開始スイッチ、および数値入力キー等の各種のスイッチやキーを備えて構成され、これらのスイッチやキーが操作されたときにそのスイッチやキーに対応する操作信号Ｓｏを出力する。表示部４５は、制御部４２の制御に従い、電力Ｐ等を表示する。
【００２４】
次に、電力測定装置１を用いて電線１００を介して供給されている電力Ｐを測定する方法について、図面を参照して説明する。
【００２５】
まず、商用の交流電源（例えば実効値が２００Ｖの商用交流電源）から電線１００を介して被電力供給体に供給されている電力Ｐを第１モードで算出（測定）する例について説明する。この測定では、電力Ｐの測定に先立ち、交流電源から出力される電圧Ｖｔの実効値（この例では２００Ｖ）と電力測定装置１によって実際に算出（電圧検出部２によって検出）される検出値Ｖｓとの関係（両者の比：α＝Ｖｉ／Ｖｓａ）を求めるための入力値Ｖｉおよび第１検出値Ｖｓａを記憶部４３に記憶させる。具体的には、まず、電圧検出部２で電線１００を挟み込む。この際に、電圧検出部２が電線１００に印加されている電圧Ｖｔを検出して電圧信号Ｓｖを出力し、入力部４１が、電圧検出部２から出力された電圧信号Ｓｖをサンプリングしてデジタル信号に変換して電圧波形データＤｖを出力する。次いで、交流電源から出力される電圧Ｖｔの実効値としての２００Ｖ（入力値Ｖｉ）を操作部４４の数値入力キーを操作して数値入力する。この際に、制御部４２が、操作部４４から出力された操作信号Ｓｏに従い、数値入力された入力値Ｖｉを記憶部４３に記憶させる。また、制御部４２は、入力部４１から出力された電圧波形データＤｖに基づき、電圧Ｖｔの実効値としての第１検出値Ｖｓａを算出して記憶部４３に記憶させる。
【００２６】
次に、図１に示すように、電圧検出部２で電線１００を挟み込んだ状態で、電流検出部３で電線１００の周囲を取り囲む。この際に、上記したように電圧信号Ｓｖが電圧検出部２から出力され、電線１００に流れている電流Ｉｔによって電線１００の周囲に発生する磁気に伴う電流信号Ｓｉが電流検出部３から出力される。一方、本体部４では、入力部４１が、電圧検出部２から出力された電圧信号Ｓｖをサンプリングしてデジタル信号に変換して電圧波形データＤｖを出力すると共に、電流検出部３から出力された電流信号Ｓｉをサンプリングしてデジタル信号に変換して電流波形データＤｉを出力する。また、制御部４２が、電圧波形データＤｖから電圧Ｖｔの実効値としての第２検出値Ｖｓｂを算出する。次いで、操作部４４のモード選択スイッチを操作して、第１モードを選択する（本発明における選択操作）。続いて、操作部４４の測定開始スイッチを操作する。この際に、操作部４４が操作信号Ｓｏを出力し、制御部４２が操作信号Ｓｏに従って図４に示す電力測定処理５０を実行する。この電力測定処理５０では、制御部４２は、入力部４１から出力された電圧波形データＤｖ、電流波形データＤｉ、および算出した第２検出値Ｖｓｂを記憶部４３に記憶させる（ステップ５１）。
【００２７】
次いで、制御部４２は、第１モードが選択されているか否かを判別する（ステップ５２）。この場合、第１モードが選択されているため、制御部４２は、電圧波形データＤｖ、電流波形データＤｉ、入力値Ｖｉおよび第１検出値Ｖｓａを記憶部４３から読み出す（ステップ５３）。続いて、制御部４２は、読み出した電圧波形データＤｖおよび電流波形データＤｉを用いて、一例として、次の計算式（１）から電力Ｐを算出する（ステップ５４）。
【数１】
2008175532.tif 000003
【００２８】
次いで、制御部４２は、ステップ５３で読み出した入力値Ｖｉおよび第１検出値Ｖｓａを用いて、一例として、次の計算式によって電力Ｐを補正する（ステップ５５）。
Ｐ１＝Ｐ×α＝Ｐ×（Ｖｉ／Ｖｓａ）
続いて、制御部４２は、算出した補正後の電力Ｐ１を表示部４５に表示させて電力測定処理５０を終了する。
【００２９】
次に、上記の商用交流電源から電線１００を介して被電力供給体に供給されている電力Ｐを第２モードで測定する例について説明する。この測定では、上記した手順と同様にして、電圧検出部２で電線１００を挟み込むと共に、電流検出部３で電線１００を取り囲む。この際に、電圧信号Ｓｖが電圧検出部２から出力されると共に、電流信号Ｓｉが電流検出部３から出力される。また、本体部４では、入力部４１が、電圧信号Ｓｖをサンプリングして電圧波形データＤｖを出力すると共に、電流信号Ｓｉをサンプリングして電流波形データＤｉを出力する。また、制御部４２が、電圧波形データＤｖに基づいて電圧Ｖｔの実効値としての第２検出値Ｖｓｂを算出する。
【００３０】
ここで、電線１００を電圧検出部２で挟み込んだ状態の等価回路を図５に示す。この場合、電線１００の導線１０１と電圧検出部２の電圧センサ２２との間の静電容量をＣ１、電圧センサ２２とグランドとの間の静電容量をＣ２とすると、電圧検出部２の絶縁抵抗（電圧センサ２２とグランドとの間の抵抗）Ｒのインピーダンスが静電容量Ｃ２のインピーダンスと比較して十分に大きいときには、電線１００に印加されている電圧Ｖｔと、電圧Ｖｔによって生じる誘導電圧Ｖｇとの関係は、次の式で表される。
Ｖｇ≒Ｃ２／（Ｃ１＋Ｃ２）×Ｖｔ・・・（２）
上記（２）式から明らかなように、誘導電圧Ｖｇの値つまり電圧信号Ｓｖの大きさ（振幅）は、静電容量Ｃ１または静電容量Ｃ２の値の変化に応じて変化する。
【００３１】
この場合、電圧検出部２による電線１００の挟み込みが不十分のときには、導線１０１と電圧センサ２２との間の静電容量Ｃ１が小さくなる。また、導線１０１と電圧センサ２２との間の静電容量Ｃ１が湿度の変化に伴って大きく変化することが発明者の実験結果から明らかとなっている。このため、例えば、電線１００の周辺に他の電線等の障害物が存在して、電線１００を電圧検出部２で確実に挟み込むのが困難なときや、電線１００の周囲の湿度が変動するときには、電線１００に実際に印加されている電圧Ｖｔの値と電圧信号Ｓｖに基づく電圧波形データＤｖに基づいて算出した検出値Ｖｓとの間の差異が時間経過と共に変化するおそれがある。
【００３２】
この電力測定装置１では、入力値Ｖｉおよび第１検出値Ｖｓａを用いて電力Ｐを補正する上記の方法に代えて、入力値Ｖｉおよび第２検出値Ｖｓｂを用いて電力Ｐを算出する方法を選択することが可能となっており、上記のような環境で測定する際には、この方法で測定を行うのが好ましい。この方法で測定する際には、操作部４４のモード選択スイッチを操作して、第２モードを選択し（本発明における選択操作）、続いて、操作部４４の測定開始スイッチを操作する。
【００３３】
この際に、制御部４２は、操作部４４から出力された操作信号Ｓｏに従って上記した電力測定処理５０を実行する。この場合、制御部４２は、入力部４１から出力された電圧波形データＤｖ、電流波形データＤｉおよび第２検出値Ｖｓｂを記憶部４３に記憶させ（ステップ５１）、次いで、第１モードが選択されているか否かを判別する（ステップ５２）。この場合、第２モードが選択されているため、制御部４２は、電圧波形データＤｖ、電流波形データＤｉ、入力値Ｖｉおよび第２検出値Ｖｓｂを記憶部４３から読み出す（ステップ５６）。続いて、制御部４２は、読み出した電圧波形データＤｖおよび電流波形データＤｉを用いて、上記した計算式（１）から電力Ｐを算出する（ステップ５７）。
【００３４】
次いで、制御部４２は、ステップ５６で読み出した入力値Ｖｉおよび第２検出値Ｖｓｂを用いて、一例として、次の計算式によって電力Ｐを補正する（ステップ５８）。
Ｐ２＝Ｐ×（Ｖｉ／Ｖｓｂ）
これにより、入力値Ｖｉおよび第２検出値Ｖｓｂを用いた補正処理によって電力Ｐが適正に補正される。続いて、制御部４２は、補正後の電力Ｐ２を表示部４５に表示させて電力測定処理５０を終了する。
【００３５】
このように、この電力測定装置１によれば、制御部４２が、選択操作に従って第１モードおよび第２モードのいずれか一方のモードでの補正処理を電力Ｐの算出時に実行することにより、測定環境に応じて２種類のモードから選択操作によって選択したモードでの補正処理で電力Ｐを補正させることができる。このため、例えば、電圧信号Ｓｖに基づく電圧波形データＤｖによって算出される検出値Ｖｓと電線１００に印加されている電圧Ｖｔの実際の電圧値との差異が変動しないとき（変動が僅かなとき）には、電力Ｐの算出に先立って入力操作によって数値入力した入力値Ｖｉとその入力時における第１検出値Ｖｓａとに基づいて電力Ｐを補正させることができる。また、電圧検出部の位置ずれや湿度の変動に起因して、検出値Ｖｓと電線１００に印加されている電圧Ｖｔの実際の電圧値との差異が大きく変動するときには、入力値Ｖｉと電力Ｐの算出時における第２検出値Ｖｓｂとに基づいて電力Ｐを補正させることができる。したがって、この電力測定装置１によれば、測定環境に拘わらず、電力Ｐを適正に補正することができる結果、電力Ｐを正確に測定することができる。
【００３６】
また、この電力測定装置１によれば、電流Ｉｔを非接触で検出するクランプ型の電流センサ３２を備えて電流検出部３を構成したことにより、電線１００の導線１０１に端子を接続することなく電流Ｉｔを安全かつ容易に検出することができる。したがって、電圧Ｖｔを非接触で検出可能な電圧検出部２と相俟って電力Ｐを安全かつ容易に測定することができる。
【００３７】
なお、本発明は、上記の構成に限定されない。例えば、制御部４２が、第２モードにおいて、入力値Ｖｉと第２検出値Ｖｓｂとを用いて電力Ｐを補正する構成例について上記したが、第２モードにおいて、入力値Ｖｉ、第１検出値Ｖｓａおよび第２検出値Ｖｓｂの３つの値を用いて電力Ｐを補正する（本発明における第３補正処理を実行する）構成を採用することもできる。具体的には、この構成では、制御部４２は、上記した電力測定処理５０のステップ５８において、上記の電力Ｐ２を求めた式と等価的に等しい次の計算式によって電力Ｐを補正する。
Ｐ２＝Ｐ×（Ｖｉ／Ｖｓａ）×（Ｖｓａ／Ｖｓｂ）
これにより、入力値Ｖｉ、第２検出値Ｖｓｂおよび第１検出値Ｖｓａを用いた補正処理によって電力Ｐが適正に補正される。このため、この構成においても、上記した電力測定装置１と同様にして、測定環境に拘わらず電力Ｐを適正に補正することができる結果、電力Ｐを正確に測定することができる。
【００３８】
また、電流検出部３を備えた電力測定装置１を例に挙げて説明したが、電流検出部３を備えていない電力測定装置に本発明を適用することもできる。この場合、例えば、電流Ｉｔを非接触で測定可能な電流測定装置を用いて測定した電流値を用いることで、電力測定装置１と同様にして、測定環境に拘わらず、電力Ｐを正確に測定することができる。また、導線１０１を絶縁体１０２で覆した電線１００を電圧検出部２で挟み込んで電力Ｐを測定する例について上記したが、例えば、絶縁体１０２で被覆されていない電線を電圧検出部２で挟み込んで電力Ｐを測定することもできる。この場合においても、電圧検出部２の本体部２１が絶縁体で形成されているため、安全に電力Ｐを測定することができる。
【図面の簡単な説明】
【００３９】
【図１】電力測定装置１の構成を示す構成図である。
【図２】電圧検出部２の内部構造を示す斜視図である。
【図３】電流検出部３の内部構造を示す斜視図である。
【図４】電力測定処理５０のフローチャートである。
【図５】電線１００を電圧検出部２で挟み込んだ状態の等価回路である。
【符号の説明】
【００４０】
１  電力測定装置
２  電圧検出部
３  電流検出部
３２  電流センサ
４２  制御部
４４  操作部
１００  電線
Ｄｉ  電流波形データ
Ｄｖ  電圧波形データ
Ｉｔ  電流
Ｐ  電力
Ｓｉ  電流信号
Ｓｖ  電圧信号
Ｖｉ  入力値
Ｖｓａ  第１検出値
Ｖｓｂ  第２検出値
Ｖｔ  電圧
【図１】
2008175532.tif 000004
【図２】
2008175532.tif 000005
【図３】
2008175532.tif 000006
【図４】
2008175532.tif 000007
【図５】
2008175532.tif 000008